(57)【要約】【課題】防護マスクの面体の内側に、簡易かつ安定的にセンサを配置するための防護マスク用のセンサ保持具の提供。【解決手段】防護マスク用のセンサ保持具１０は、細棒状部材から形成されたものであって、前方へ屈曲して延びるフック部４０と、フック部４０の幅方向Ｘの両側から延びて下方へ屈曲する第１及び第２ばね部５０，６０とを備える。第１及び第２ばね部５０，６０は、脚部５１，６１と、センサ３０の下側角部３３，３４が挿通される環状の支持部５２，６２とを有する。【選択図】図４
2019134841.tif 000002
【特許請求の範囲】
【請求項１】
上下方向と、幅方向及び前後方向とを有する防護マスク用のセンサ保持具であって、
細棒状部材から形成されており、前方へ屈曲して延びるフック部と、前記フック部の前記幅方向の両側から延びて下方へ屈曲する第１及び第２ばね部とを備え、
前記第１及び第２ばね部は、脚部と、センサの下側角部が挿通される環状の支持部とを有することを特徴とする前記保持具。
【請求項２】
前記防護マスクは、透明のアイピースから後方へ延びる後方周壁部を有し、前記フック部は、前記後方周壁部の上側部分の内側面に位置する係止部に係止され、着用者の眉間の上方に位置する部分と対向するように吊持された状態となる請求項１に記載の保持具。
【請求項３】
前記吊持された状態において、前記アイピースの内面に倒伏する請求項１又は２に記載の保持具。
【発明の詳細な説明】
【技術分野】
【０００１】
本発明は、防護マスク用のセンサ保持具に関する。
【背景技術】
【０００２】
従来、高濃度の有毒ガスや高い放射線量を含む環境下で作業する場合に着用する防護マスクは、公知である。例えば、特許文献１には、着用者の顔面全体を覆うことのできる面体と、着用者の顔面に当接される接顔パッドと、防毒用又は防塵用のフィルタユニットとを備えた防護マスクが開示されている。
【先行技術文献】
【特許文献】
【０００３】
【特許文献１】特開２００７−２０６７５号公報
【０００４】
かかる防護マスクは、着用者の全身を覆う防護服とともに使用されるものであって、防護服のフードに粘着テープなどの連結手段を介して連結され、防護服及び防護マスクの内部被ばくを防止するように全身が完全に防護された状態で着用される。
【０００５】
しかしながら、高い放射線量を含む環境下において作業を行う場合には、身体に対する線量管理が重要であって、防護マスクを長時間にわたり使用すると、着用者の眼の水晶体が被曝するおそれがある。水晶体の等価線量は、防護マスクの内面にセンサ（放射線量計）を配置することによってモニタリングすることができるが、面体の透明の前面部は球体面状又は凸曲面状であって、粘着テープ等の固定手段を介して固定するのが困難であった。
【発明の概要】
【発明が解決しようとする課題】
【０００６】
本発明は、従来の発明の改良であって、防護マスクの面体の内側に、簡易かつ安定的にセンサを配置するための防護マスク用のセンサ保持具の提供を課題としている。
【課題を解決するための手段】
【０００７】
本発明は、上下方向と、幅方向及び前後方向とを有する防護マスク用のセンサ保持具に関する。
【０００８】
本発明に係る防護マスク用のセンサ保持具は、細棒状部材から形成されており、前方へ屈曲して延びるフック部と、前記フック部の前記幅方向の両側から延びて下方へ屈曲する第１及び第２ばね部とを備え、前記第１及び第２ばね部は、脚部と、センサの下側角部が挿通される環状の支持部とを有することを特徴とする。
【０００９】
本発明に係る防護マスク用のセンサ保持具は、以下の実施態様を含む。
（１）前記防護マスクは、透明のアイピースから後方へ延びる後方周壁部を有し、前記フック部は、前記後方周壁部の上側部分の内面に位置する係止部に係止され、着用者の眉間の上方に位置する部分と対向するように吊持された状態となる。
（２）前記吊持された状態において、前記アイピースの内面に倒伏する。
【発明の効果】
【００１０】
本発明に係る防護マスク用のセンサ保持具では、細棒状部材から形成されており、前方へ屈曲して延びるフック部と、フック部の幅方向の両側から延びて下方へ屈曲する第１及び第２ばね部とを備え、第１及び第２ばね部は、それぞれ、センサの下側角部が挿通される環状の支持部を有することから、防護マスクの内面側において、センサを吊持した状態で安定して保持することができる。
【図面の簡単な説明】
【００１１】
図面は、本発明の特定の実施の形態を示し、発明の不可欠な構成ばかりでなく、選択的及び好ましい実施の形態を含む。
【図１】本発明に係るセンサ保持具を取り付けた防護マスクの使用状態における斜視図。
【図２】センサ保持具を取り付けた防護マスクを正面から視た斜視図。
【図３】センサ保持具を取り付けた防護マスクを背面から視た斜視図。
【図４】（ａ）センサ保持具の斜視図。（ｂ）センサを保持した状態におけるセンサ保持具の斜視図。
【図５】防護マスクに取り付けたセンサ保持具の様子を示す図。
【発明を実施するための形態】
【００１２】
下記の実施の形態は、図１〜図５に示すセンサ保持具１０に関し、発明の不可欠な構成ばかりでなく、選択的及び好ましい構成を含む。
【００１３】
図１，２を参照すると、本発明に係るセンサ保持具１０が取り付けられる防護マスク１は、上下方向Ｙと、幅方向Ｘ及び前後方向Ｚと、前面１ａと、後面１ｂとを有し、フルフェイス型の面体２と、面体２の前面１ａ側に位置する着脱可能な吸排気ユニット３とを備える。
【００１４】
防護マスク１は、例えば、高濃度の有毒ガスや高い放射線量が存在する環境下（施設内）等においては、フード部５を有した着用者の全身を覆う防護服４とともに使用される。防護マスク１の外周縁部は、防護服のマスク取付用開口の開口縁部の内面に当接されており、防護マスク１の外周縁部と該開口縁部とが合成ゴム等から形成された環状の取付バンド６によって互いに密接してシールされている。
【００１５】
図２及び３を参照すると、面体２は、ポリカーボネート樹脂等の透明で硬質な合成樹脂から形成されたアイピース（透明部、視野カバー）２１と、前面部の後方において環状に延びる合成ゴム等の柔軟弾性材料から形成された後方周壁部２２とを有する。後方周壁部２２は、硬質合成樹脂から形成されたアイピース２１を囲む枠状部分２６の外周縁から後方へ延びている。後方周壁部２２の後端縁側には、着用者の周囲に密着可能な環状のリップ部２２ｂが位置する。
【００１６】
後方周壁部２２の外周面の外面から後方へ突出して延びる取付部２２ｃには、着用者の頭部に掛け回されるヘッドバンド２４がバックルを介して取り付けられている。吸排気ユニット３は、電動ファンとバッテリーとの制御回路を内蔵するものであって電動ファンが回転することによってろ過材ユニット（ガス吸収缶）７でろ過された空気を面体の内側に供給することができる。
【００１７】
図３を参照すると、着用者がリップ部２２ｂを上方へ捲り上げると、後方周壁部２２の上側部分の内側面２２ａには、後方へ環状に延びる帯片から形成された係止部２７が位置する。係止部２７には、センサ３０を保持したセンサ保持具１０が吊持されている。センサ３０は、例えば、防護マスク１内の放射線量を測定するためのものであって、比較的に小型かつ軽量である。センサ保持具１０は、防護マスク１内であって着用者の両眼近傍の線量を直接測定することができることから、防護服４内の胴回りに配置する場合に比べて、水晶体の等価線量を高精度で測定することができる。また、図１を参照すると、センサ保持具１０は、防護マスク１の正面視において、着用者の額または眉間の上方に位置する部分と対向するように吊持されていることから、着用者の視界を遮ることはない。
【００１８】
図３及び図４（ｂ）を参照すると、センサ３０は、断面矩形のボックス状かつ四隅が角鋭状であって、上側角部３１，３２と下側角部３３，３４とを有する。センサ３０の前面部３０ａには、その外形輪郭に沿う内周溝３０ｂが形成されており、内周溝３０ｂ内には、例えば、作業者の個人名や緊急時の搬送先の病院名等が記された貼付シール等を配置することができる。なお、センサ３０の上下側角部３１−３４は、後記の本願発明の技術的効果を奏する限りにおいて、曲状であってもよい。
【００１９】
図４（ａ），（ｂ）を参照すると、センサ保持具１０は、硬質の合成樹脂又は金属材料から形成された１本の線材から形成されており、前方へコ字状に屈曲して延びるフック部４０と、フック部４０の幅方向Ｘの両側に位置する第１及び第２ばね部５０，６０とを有する。センサ保持具１０は、幅方向Ｘの寸法を２等分する縦中心線Ｐをさらに有する。センサ保持具１０は、細棒状の部材から形成されたフレーム状のものであって、１本の線材を折り曲げて形成するほかに、例えば、合成樹脂製の成形品であってもよいし、複数の線材を公知の接着又は溶着手段を介して互いに繋げて形成したものであってもよい。
【００２０】
第１及び第２ばね部５０，６０は、フック部４０の両側から幅方向Ｘの外側へ延びた後、屈曲して下方へ延びる脚部５１，６１と、脚部５１，６１からさらに縦中心線Ｐへ向かって傾斜するように下方へ延びる環状の支持部５２，６２とを有する。なお、センサ保持具１０は、縦中心線Ｐに関して対称であって、センサ保持具１０の上下方向Ｙ、幅方向Ｘ及び前後方向Ｚは、防護マスク１の上下方向Ｙ、幅方向Ｘ及び前後方向Ｚと同じである。センサ保持具１０は、幅方向Ｘの寸法を２等分する縦中心線Ｐをさらに有する。センサ保持具１０を形成する線材の両端部１０ａ，１０ｂは、支持部５２，６２の上方側に位置してセンサ３０の両側部と対向して位置していることから、前方に位置するアイピース２１に両端部１０ａ，１０ｂが触れてそれを傷つけることはない。
【００２１】
図４（ｂ）を参照すると、センサ保持具１０は、第１ばね部５０と第２ばね部６０との間にそれらに挟持されるように保持される。具体的には、センサ３０の上側角部３１，３２が第１及び第２ばね部５０，６０の脚部５１，６１の屈曲部分５１ａ，６１ａに対向して位置し、センサ３０の下方に位置する一対の下側角部３３，３４が縦中心線Ｐに関して傾斜した第１ばね部５０の支持部５２と第２ばね部６０の支持部６２とにそれぞれ嵌挿された状態で保持される。すなわち、下側角部３３，３４が第１及び第２ばね部５０，６０の支持部５２，６２に嵌挿されるときに、第１ばね部５０と第２ばね部６０とが幅方向Ｘの外側へ僅かに押し拡げられ、その弾性復元力が幅方向Ｘの内側へ作用する。それによって、第１及び第２ばね部５０，６０の支持部５２，６２によってセンサ３０の下側部分が挟持された状態となる。
【００２２】
また、センサ３０の上側角部３１，３２が第１及び第２ばね部５０，６０の脚部５１，６１の屈曲部分５１ａ，６１ａに当接されることによって、センサ３０の上側への移動が阻止される。このように、センサ３０は、上側角部３１，３２と下側角部３３，３４とによる四隅すべてが第１及び第２ばね部５０，６０に支持された状態でセンサ保持具１０に安定して保持されているので、センサ保持具１０が上下方向Ｙ、幅方向Ｘ及び前後方向Ｚの各方向から外部衝撃を受けてもセンサ３０がセンサ保持具１０から不用意に外れて落下するおそれはない。
【００２３】
着用者が、センサ保持具１０にセンサ３０を保持させるときには、まず、第１ばね部５０（又は第２ばね部６０）に下側角部３３を嵌挿して支持し、次に、第２ばね部６０を摘持してその弾性を利用して幅方向Ｘの外側へ引っ張るように移動さながら支持部６２に下側角部３４を嵌挿すればよいから、比較的容易にセンサ３０の取り付け操作を行うことができる。また、センサ３０をセンサ保持具１０から取り外すときには、センサ３０が第１及び第２ばね部５０，６０に挟持された状態から第１ばね部５０（又は第２ばね部６０）を摘持して幅方向Ｘの外側へ移動させて支持部５２から下側角部３３を外した後に、支持部６２から下側角部３４を外せばよい。
【００２４】
図５を参照すると、センサ保持具１０のフック部４０が係止される係止部２７は、面体２に沿う後方周壁部２２の上側部分の内側面２２ａから後方に突出していることから、防護マスク１の側面視において前方へ僅かに傾斜した態様を有している。したがって、係止部２７にフック部４０を係止した状態において、センサ保持具１０は、アイピース２１の位置する前方へ向かって傾斜してそれに倒伏したような状態となる。
【００２５】
このように、センサ保持具１０が防護マスク１内に吊持された状態であってアイピース２１に倒伏していることから、着用者の頭部が前後、左右に移動しても防護マスク１内で揺動して着用者の視界を遮ったり、目障りになるおそれはない。また、係止部２７は柔軟弾性材料から形成された後方周壁部２２の一部であることから、例えば、着用者が頭部を前後、左右に大きく振ってセンサ保持具１０がアイピース２１の内面から離間しても、係止部２７がその動きを吸収して、係止部２７からフック部４０が外れるのを抑制することができる。
【００２６】
以上のとおり、センサ保持具１０は、細棒状部材のばね性を利用してセンサ３０を簡易に取り付けることができるので、容易に着脱することができる。また、センサ保持具１０を１本の線材を折り曲げて形成した場合には、簡易かつ安価に製造することができる。また、センサ保持具１０は、軽量であるから、小型のセンサ３０を保持して吊持された状態において、自重によって落下するおそれはない。さらに、防護マスク１の球面状又は凸曲面状を有するアイピース２１の内面に貼付されるものではないから、その内面側において吊持された状態を維持し、センサ３０を安定して保持することができる。
【符号の説明】
【００２７】
１  防護マスク
１０  センサ保持具
２１  アイピース
２２  後方周壁部
２２ａ  内側面
２７  係止部
３０  センサ
３３，３４  下側角部
４０  フック部
５０  第１ばね部
５２  支持部
６０  第２ばね部
６２  支持部
Ｘ  幅方向
Ｙ  上下方向
Ｚ  前後方向
【図１】
2019134841.tif 000003
【図２】
2019134841.tif 000004
【図３】
2019134841.tif 000005
【図４】
2019134841.tif 000006
【図５】
2019134841.tif 000007